(57)【要約】【課題】  電子機器に接続される電源コードを、組立工程においては簡便に着脱可能に固定して、組み立て中における工程間移動、及び工場間輸送の際に生ずるストレスによる切れや磨耗を防ぎ、完成品として機器の筐体に組み込む時には出来るだけコストをかけず簡便強固に固定を完了するための電源コードの固定構造を提供する。【解決手段】  電子機器に内蔵される他の電子機器１６、及び電子機器本体に設けられた電子回路基板１７などを取り付けるシャーシの壁面１２ａに略Ｌ字型の切り欠き部１２ｂを設け、電源コード１３のブッシュ１４の周囲に設けた凹部１４ａを挿入する固定構造により着脱可能に電源コードを固定し、電気機器の完成組立工程においては電気機器の筐体壁面に形成した開口部１１の縁面１１ａにより前記固定構造の開放側を塞ぐことによりブッシュ１４を拘束して固定させる電源コードの固定構造。【選択図】      図１
2005293897.tif 000002
【特許請求の範囲】
【請求項１】
電子回路基板を取り付けるシャーシの壁面に、略Ｌ字型の切り欠き部を形成し、この切り欠き部に電子回路基板に接続された電源コードのブッシュを着脱可能に挿入して固定するようにしたことを特徴とする電源コードの固定構造を備えた電子機器。
【請求項２】
前記シャーシの壁面に形成された略Ｌ字型の切り欠き部の横寸法をｘ、開口側脇縁面の縦寸法をｚ、奥側脇縁面の縦寸法をｙとし、この切り欠き部に挿入される電源コードのブッシュ周囲に設けた凹部の横寸法をａ、縦寸法をｂとし、鍔の高さ寸法をｃとした場合に、ｙ≒ｂであり、ｂ＋ｃ≦ｚの関係において、ｘとａとは概ね１．２ａ≦ｘ≦２ａ、好ましくは１．４ａ≦ｘ≦１．７ａ、最も好ましくはｘ≒１．６ａの関係式であることを特徴とする電源コードの固定構造を備えた電子機器。
【請求項３】
前記電源コードのブッシュが挿入されたシャーシを電子機器筐体に装着することにより、電子機器の筐体壁面に形成された開口部の縁面によってシャーシに形成した切り欠き部の開放方向が塞がれてブッシュの抜けを防止することを特徴とする請求項１又は２記載の電源コードの固定構造を備えた電子機器。
【発明の詳細な説明】
【技術分野】
【０００１】
本発明は、電子機器から引き出される電源コードの固定構造において、特に固定構造の配置場所と形状を工夫することにより、電源コードの固定作業を容易にし、工程間や工場間の輸送時に受ける傷などを防止することができる電源コードの固定構造を備えた電子機器に関する。
【背景技術】
【０００２】
従来、電子回路基板に電源コードを固定する構造としては、例えば、特開平１０−２０５６５７号公報が開示されている。ここに開示された電源コードの固定構造においては図１０に示すように、上面に開口する下部筐体１０ｅと上から蓋状に覆い被さる上部筐体１０ｄで構成され、下部筐体の壁面端部に開口部をもち略Ｌ字型に奥側が広い切り欠き部１２ｂ、あるいは略末広型に奥側が広い切り欠き部（図示略）を設け、ここに電源コード１３に設けたブッシュの厚さ方向の略中央部の周囲に設けられた断面が略矩形の凹み部分をブッシュの狭幅方向から挿入し、ブッシュが切り込みの奥に届いたら奥側の幅広部でブッシュを９０度回転させて抜け防止を図り、さらに下部筐体に設けた突出壁１８ａと蓋状の上部筐体１０ｄで挟み込むことによりブッシュの自由回転を抑えて固定している。
【０００３】
しかしながら、切り欠き部１２ｂ周辺は肉厚部分１８ｂや突出壁１８ａといった複雑な構造であり、これを実現するための金型は高価にならざるを得ないといった問題があった。また、電源コード１３はブッシュと共に筐体内で９０度捻られて固定されるため、近傍にある電源コードと電子回路基板（図示略）との半田接続部にもコードの捻りが伝わり電源コード１３の固定強度の低下、及び接続安全性の低下をきたす恐れがあった。また、一般には完成品の際に組みつけられる電子機器の筐体に固定構造を設けているため、組み立て段階における電源コードの固定または工程間の移動や工場間の輸送を行うには適さなかった。
【０００４】
また、このような電源コードの固定構造に関する従来技術が特開平１１−１９１６８３号公報（図示略）によっても開示されているが、これは電子回路基板上の電源コード近傍箇所に該電源コードの仮固定用の部品として電子部品の冷却に用いられる放熱板を用いて仮固定するものであり、あくまでも工程内の物流の際の仮止めのための固定構造で、完成品の際は仮の固定部から電源コードを外して別に設けた固定構造に止め直すことが必要であった。
【０００５】
【特許文献１】特開平１０−２０５６５７号公報
【特許文献２】特開平１１−１９１６８３号公報
【発明の開示】
【発明が解決しようとする課題】
【０００６】
本発明は、電子機器の組立て中における工程間の移動、若しくは工場間の輸送の際に生ずる電源コードの外れや磨耗、傷を防ぐことができる電源コードの固定構造を備えた電子機器を提供することを目的とする。特に、電子回路基板上の電源コード近傍箇所にわざわざ該電源コードの仮固定用の部品として電子部品の冷却に用いられる放熱板などを用いることなく、完成品に組み立てる段階で別途必要となる電子機器筐体との電源コードの固定構造部を設けることや、これにかかる固定作業工数をも必要とせずに機器の組立て中における工程間の移動、若しくは工場間の輸送の際に生ずる電源コードの外れや切れを防ぐことが出来、さらに完成組み立て工程では特別な固定構造を必要とせず、組立工程中に電源コードを固定する構造を活用して簡便に完成品も固定可能とする電源コードの固定構造を備えた電子機器を提供することを目的とする。
【課題を解決するための手段】
【０００７】
上記目的を達成するために、本発明は電子回路基板などを取り付けるシャーシの壁面に着脱可能とする電源コードの固定構造部を設け、電子機器の完成組立工程において電子機器筐体の壁面に形成した開口部の縁面により前記固定構造の開放部側を塞ぐことで電源コードを固定させることを特徴としている。
【０００８】
本発明の請求項１は、電子機器用の電源コードの固定方法において、電子回路基板を取り付けるためのシャーシの壁面に略Ｌ字型の切り欠き部を形成し、この切り欠き部に電子回路基板に接続された電源コードのブッシュを着脱可能に挿入して固定することを特徴としている。
【０００９】
本発明の請求項１の構成により、テレビジョン受像機やビデオ装置、ＤＶＤ装置などの電子機器の電子回路基板を取り付けるシャーシの壁面に、予め略Ｌ字型の切り欠き部を形成しておく。次に電源コードが接続された電子回路基板をシャーシと組み付けてユニットとする。続いて電源コードのブッシュを、前記のシャーシ壁面に設けられた切り欠き部に挿入して固定することで、電子回路基板から引き出される電源コードは筐体内で無理に捻られることもなく、工程間の移動や工場間の輸送におけるストレスで受ける電源コードの切れ及び磨耗を防止できる固定構造が得られる。
【００１０】
本発明の請求項２は、前記シャーシの壁面に形成された略Ｌ字型の切り欠き部の横寸法をｘ、開口側脇縁面の縦寸法をｚ、奥側脇縁面の縦寸法をｙとし、この切り欠き部に挿入される電源コードのブッシュ周囲に設けた凹部の横寸法をａとし縦寸法をｂ、鍔高さ寸法をｃとした場合に、ｙ≒ｂであり、ｂ＋ｃ≦ｚの関係において、ｘとａは概ね１．２ａ≦ｘ≦２ａ、好ましくは１．４ａ≦ｘ≦１．７ａ、最も好ましくはｘ≒１．６ａの関係式であることを特徴としている。
【００１１】
本発明の請求項２の構成により、ブッシュはシャーシの切り欠き部の開口側脇縁面に沿ってｂ＋ｃ≦ｚの関係にある切り欠き部の底辺まで縦に挿入され、続いて、概ね１．２ａ≦ｘ≦２ａ、好ましくは１．４ａ≦ｘ≦１．７ａ、最も好ましくはｘ≒１．６ａの関係でブッシュ凹部の横寸法ａに対して該切り欠きの横寸法ｘが広く形成された切り欠き部を横方向に挿入される。その最深部である奥側脇縁面に到達したブッシュは、切り欠き部の上片部と底辺との間にてｙ≒ｂの関係で軽く束縛されることで、電源コードは捻られることもなく、工程間の移動や工場間の輸送時に受けるストレスでも容易に離脱しない固定が得られる。
【００１２】
本発明の請求項３は、請求項１および請求項２により電源コードのブッシュが挿入されたシャーシを電子機器の筐体に装着することにより、電子機器の筐体壁面に形成された開口部の縁面によってシャーシに形成した切り欠き部の開放部方向が塞がれてブッシュは拘束され、電源コードの抜けを防止することを特徴とする電子機器用電源コードの固定構造である。
【００１３】
本発明の請求項３の構成により、電子機器の筐体に組み付けられる前の段階においては、シャーシの壁面に設けた略Ｌ字型の切り欠き部に固定された電源コードが、該シャーシを電子機器の筐体に組み込まれることで、簡便に電源コードのブッシュの鍔部が筐体の開口部縁面で塞がれて拘束される電源コードの固定構造が得られる。
【発明の効果】
【００１４】
本発明の請求項１、及び２の構成により、一般的に各種電子機器においては電源コードや他の電子機器との接続用のＡＶジャック端子、及びアース端子などが筐体の壁面に配置されることが多い。しかし、筐体の壁面にこれらの端子類を配置しておき、後で電子回路基板と接続することは組立作業性を大きく損なうため、筐体の壁面には端子類が露出する部分に開口部を設け、前記の筐体壁面と同一方向に位置するシャーシの壁面に予めこれらの端子類は取り付けられることが多い。本発明においても、前記シャーシの壁面に電源コードを固定するための略Ｌ字型の切り欠き部を形成しておく。次に電源コードが接続された電子回路基板をシャーシと組み付けて一体化したユニットとする。続いて電源コードに配置したブッシュを、前記のシャーシ壁面に設けられた切り欠き部に挿入することで、電源コードに捻りが加わることもなく、また電子部品の冷却に用いられる放熱板を用いることもなく電源コードを簡便に着脱でき、組み立て中における工程間の移動、若しくは工場間の輸送の際に生ずるストレスによる電源コードの切れや磨耗を防ぐことができる。しかも放熱板を固定の用途に使用する場合に見られる放熱性の低下や、これを補うために伴う放熱板のサイズアップや電子機器の大型化によるコストアップなども要さず、電子回路基板上の電源コード近傍箇所にわざわざ該電源コードの固定用として電源コードを固定できるに足りる放熱板に見合ったパワートランジスタなどを配置することもない電源コードの固定構造が得られる。
【００１５】
本発明の請求項３の構成により、電子機器の筐体に組みつけられる前の段階において電源コードは着脱可能な状態でシャーシの壁面に固定され、これをそのまま筐体に組み付けるだけで電源コードのブッシュの鍔部は筐体の開口部縁面により拘束されて固定が完了する。これにより、電源コードの取り付けは１回で済み、完成品に組み立てる段階で別途必要となる電子機器の筐体と電源コードの固定手段とそれにかかる作業工数などの削減が可能となる。さらに、筐体の開口部もブッシュの鍔部を開口部の縁面で塞ぐだけの簡便な構造であり、筐体の成形も容易で金型代の安価が可能となる。また、何らかの事由でシャーシや電子回路基板を筐体から取り外す必要が生じても、筐体の組み付け部を解体するだけで筐体の内部は露出し、且つ、電源コードはシャーシ壁面の切り欠き部に着脱可能に固定された状態を保てる。
【発明を実施するための最良の形態】
【００１６】
以下、添付図面を参酌しながら、本発明を実施するための最良の形態としての実施例を説明する。なお、実施例１においては、図１は本発明における電子機器であるテレビジョン受像機を背面から見た図である。ＶＴＲなどの外部音響機器との接続用のＡＶジャック端子１５、及びアース端子（図示略）などがシャーシの壁面１２ａに取り付けられて、テレビジョン受像機の後方筐体１０ｂの壁面１０ｃの開口部１１から露出するように配置されている斜視図である。このシャーシの壁面１２ａの一部に本発明の切り欠き部を形成してなる電源コードの固定構造部１３ａを設けてあり、後方筐体の開口部の縁面により電源コードのブッシュの鍔部が拘束固定されている。
【００１７】
引き続き、順をおって説明を加える。図２は電源コードに設けられたブッシュの構造を示す電源コードの部分拡大斜視図である。電源コード１３においてはブッシュ１４の厚さ方向の略中央部に周囲に設けられた凹み部分１４ａを形成している。図３は電源コードの固定構造において電源コードをシャーシの背面側の壁面に固定する前の状態を示す斜視図であり、図４は電源コードの取り付け途中の状態を示す斜視図である。図５はシャーシに設けた電源コードの固定構造に電源コードを固定した状態の斜視図である。図６は電源コードを取り付けて固定した状態のブッシュ断面を示す図である。電子回路基板（図示略）を取り付けるシャーシの壁面１２ａに配置した略Ｌ字型の切り欠き部１２ｂの最深部までブッシュの凹部１４ａが挿入されている。そして、図３、図４、図５に示す手順に従い、このシャーシ壁面１２ａの切り欠き部１２ｂに電源コード１３のブッシュ１４を着脱可能に挿入して固定するようにしており、電子回路基板と電源コードを組み付けたシャーシは略一体に組み立てられたユニットとして取り扱うことが可能であり、組み立て作業の効率化にも寄与できる。また、電源コードが固定された形態で工程間の移動や工場間の輸送が行えることから、物流の際に生じるストレスによる電源コードの切れ及び磨耗を防止する。
【００１８】
続いて、図８はテレビジョン受像機の完成組み立て工程で、電源コードのブッシュ１４がシャーシの壁面１２ａに固定された状態で筐体壁面１０ｃに組み付けられた相対位置図である。後方筐体１０ｂの開口部１１の上縁面１１ａと脇縁面１１ｂにより、シャーシに形成した切り欠き部１２ｂの開放部１２ｃ方向が塞がれてブッシュの抜けを防止し強固に固定している。何らかの事由でシャーシ１２や電子回路基板（図示略）を取り外す必要が生じても、後方筐体１０ｂを取り外すだけで筐体の内部のシャーシ壁面１２ａは露出し、且つ、電源コード１３はシャーシ壁面１２ａの切り欠き部１２ｂに着脱可能に固定された状態を保てる。さらに再度完成品としての組立てを行うにあたっても固定構造部を加工する必要がない。
【００１９】
さらに、詳細に説明すると、図３はシャーシの壁面１２ａの上端が開放し、この開放部１２ｃから下向きに切り欠き、さらに横向きに切り込まれた略Ｌ字型の切り欠き部１２ｂを形成している。一方の電源コード１３においてはブッシュ１４の厚さ方向における略中央部の周囲に設けられた凹み部分１４ａを形成している。シャーシ壁面１２ａに設けられた切り欠き部１２ｂに上端の開放部１２ｃから、電源コード１３のブッシュ１４の略中央部の周囲に設けられた凹部１４ａを挿入してから、図４に示すようにブッシュ１４を横方向に移動させて奥に入り込ませる。続いて図５により切り欠き部の最深部に挿入された電源コード１３のブッシュ１４は、シャーシ壁面１２ａの上片部１２ｄと切り欠き部の底辺に挟持されてシャーシ壁面１２ａに固定される。この電源コード１３のブッシュ１４をシャーシ壁面１２ａから取り外すときには、逆の手順によってブッシュ１４をシャーシ壁面１２ａの切り欠き部１２ｂ内で切り欠きの開放部１２ｃ側に移動することによって電源コード１３をシャーシ壁面１２ａから取り外す。
【００２０】
続いて、本実施例において、ブッシュ１４がシャーシの切り欠き部１２ｂに挿入された後に、工程間の移動や工場間の輸送中に振動を受けることを想定して固定条件による効果の比較を行った結果を示す。電源コード１３のブッシュ１４の形状は予め用意されていることが多いため、図７においてはブッシュの凹部１４ａの横寸法と縦寸法をそれぞれａ、及びｂ、鍔の高さｃの既定値とした。一方、シャーシの切り欠き部１２ｂにおけるブッシュとの挿入箇所の寸法は横寸法をｘ、奥側脇縁面の縦寸法をｙとし、該切り欠き部の開口側脇縁面の縦寸法をｚとした場合、ブッシュが切り欠き部の最深部に挿入されても容易に移動が可能では固定効果が期待できないため、予め切り欠き部の奥側脇縁面の縦寸法ｙはブッシュ凹部の縦寸法ｂとほぼ同等な寸法、すなわちｙ≒ｂに設定した。なお、一般的にブッシュ１４の成形に用いられるプラスチック類は常温下でも比較的軟質の性状を有したものが用いられており、固定時における抜け防止の安全度を増すには、挿入抵抗が多少増すことになるが切り欠き部の奥側脇縁面の縦寸法ｙをブッシュ凹部の縦寸法ｂより僅かに小さ目に調整することで可能である。また、シャーシの開口部深さとブッシュとの関係では、ブッシュが切り欠きの最深部から移動して少し傾いても容易に外れないようにするため、及びブッシュが切り欠きの最深部に固定され、完成品として組み立てられたときにシャーシの開放部が筐体の開口部の縁面の隙間から露出することを防ぐため、シャーシ切り欠き部の開口側脇縁面の縦寸法ｚと、ブッシュ凹部の縦寸法ｂ及び鍔高さ寸法ｃとはｂ＋ｃ≦ｚに設定した。以上の前提に従い、ブッシュ凹部の横寸法ａに対してシャーシ切り欠き部の横寸法ｘの比率を、ブッシュ凹部の横寸法ａの１倍から１．５倍まで６段階に分けて組み合わせ、振動の強さを弱、中、強の３段階で負荷をかけて該シャーシ切り欠き部の横寸法ｘは該ブッシュ凹部の横寸法ａの何倍が適当かを比較した。この結果を表１に示す。なお、この表中にあらわした記号は、×：ブッシュの外れあり、△：ブッシュの保持が甘い、○：ブッシュの保持が可能、とした。
【００２１】
【表１】
2005293897.tif 000003
この結果、シャーシに形成する切り欠き部の横寸法ｘは、概ね１．２ａ≦ｘ≦１．５ａとなった。しかし、該切り欠き形状におけるブッシュの保持具合は切り欠き部の横寸法ｘが広いほど、言い換えれば横方向の奥行きは深いほど抜けにくくなり望ましいが筐体背面の配置制約などから実用的には略２倍までと判断、改めて、シャーシに形成する切り欠き部の横寸法ｘは、概ね１．２ａ≦ｘ≦２．０ａ、好ましくは１．４ａ≦ｘ≦１．７ａ、最も好ましくはｘ≒１．６ａの関係式との結果を得た。
【００２２】
つづいて図８においては、シャーシの壁面１２ａに配置した切り欠き状の電源コードの固定構造部１３ａの位置と、その切り欠き部１２ｂの最深部に挿入されたブッシュ１４の位置、及びブッシュ１４の外れ防止のために設けた筐体開口部１１の上縁面１１ａ、脇縁面１１ｂとの相対位置は予め設定されており、ブッシュがシャーシの切り欠き部の開放部側に移動して外れないように筐体開口部の上縁面１１ａと脇縁面１１ｂでシャーシ切り欠き部の開放部１２ｃ方向、及び切り欠き部の開放側脇縁面１２ｅ方向を塞いでブッシュの動きを抑え込むように配置しているが、単に電源コードの抜け防止だけを目的とする場合はシャーシ切り欠き部の開放部１２ｃ方向のみを筐体開口部の上縁面１１ａで塞ぐだけでも目的は達せられる。
【００２３】
以上のように本実施例では、電源コードの固定構造部をシャーシに設けたことにより、組み立て工程においては簡便に着脱が可能な電源コードの固定ができ、組み立て中における工程間の移動、若しくは工場間の輸送の際に生ずるストレスによる電源コードの切れや磨耗を防ぐことができ、さらには、完成品に組み立てる段階で別途必要となる電子機器の筐体と電源コードの固定手段とそれにかかる作業工数などを不要とする電源コードの固定構造が得られた。
【００２４】
実施例２においては、図９に示す通り電子機器に内蔵されるＤＶＤユニット１６を電子回路基板１７と共に取り付ける複合電子機器用のシャーシ１２の壁面１２ａに、予め略Ｌ字型の切り欠き部１２ｂを形成し、この切り欠き部１２ｂに、電子回路基板１７と接続された電源コード１３のブッシュ１４を着脱可能に挿入して固定することで、工程間の移動、又は工場間の輸送時におけるストレスで受ける電源コードの切れ及び磨耗を防止可能とすることを特徴とする複合電子機器用電源コードの固定構造である。これにより電子回路基板１７と内蔵される他の電子機器ユニット、例えばＤＶＤユニット１６を、電源コード１３の固定構造部１３ａを有するシャーシ壁面１２ａに取り付けて略一体化したユニットとして筐体組み付け時に取り扱える。
【００２５】
以上、本実施例を詳述したが、本発明は、前記実施例に限定されるものではなく、本発明の要旨の範囲内で種々の変形実施が可能である。例えば、電子機器筐体の開口部側ありで、シャーシに形成した壁面に併設される電源コードの固定構造部、及び各種のジャック端子およびアース端子を設ける側は筐体の背面に限らず、側面に設けることも可能である。また、電源コードを固定するための略Ｌ字型の切り欠き部の開口部はシャーシと筐体壁面の配置の都合に合わせて上下左右どちら向きに配置されてもよく、切り欠き部の最深部はブッシュの形状により略円形や略長円などの形状などに変形が可能である。また、シャーシの切り欠き部、及びその周辺は、シャーシの縁面を数ミリの幅で折り曲げてリブを設けるなどにより耐撓み強度を増すなどの改良も可能である。なお本発明における電子機器もテレビジョン受像機のほか、ビデオ、ＤＶＤ、ＨＤＤなどでもよく、さらに該電子機器に内蔵される他の電子機器などの装置類も前記実施例に限定されるものではなく、適宜選定すればよい。
【図面の簡単な説明】
【００２６】
【図１】本発明の一実施例の形態を示す、テレビジョン受像機の背面における電源コードや端子類の配置を示す説明図である。
【図２】同上、電源コードに設けたブッシュの拡大斜視を示す説明図である。
【図３】同上、電源コードのブッシュをシャーシ壁面に取り付け前の状態を示す説明図である。
【図４】同上、電源コードのブッシュをシャーシ壁面に取り付け途中の状態を示す説明図である。
【図５】同上、電源コードのブッシュをシャーシ壁面に取り付け後の状態を示す説明図である。
【図６】同上、電源コードのブッシュをシャーシ壁面に取り付け後の状態のブッシュ断面を示す説明図である。
【図７】同上、ブッシュの挿入部とシャーシ切り欠き部との関係を示す説明図である。
【図８】同上、電源コードのブッシュをシャーシ壁面に取り付け後、筐体に組み込まれた状態を示す説明図である。
【図９】本発明の第二の実施例の形態を示す、テレビジョン受像機の電子回路基板とＤＶＤユニットを電源コードの固定構造部を有するシャーシに取り付けて略一体化したシャーシユニットを示す説明図である。
【図１０】従来の固定構造を示す、電源コードのブッシュを筐体に取り付け前の状態を示す説明図である。
【符号の説明】
【００２７】
１１  筐体の開口部
１１ａ  開口部の上縁面
１１ｂ  開口部の脇縁面
１２ａ  シャーシの壁面
１２ｂ  切り欠き部
１２ｃ  切り欠きの開放部
１３  電源コード
１３ａ  電源コードの固定構造部
１４  ブッシュ
ａ  ブッシュ凹部横寸法
ｂ  ブッシュ凹部縦寸法
ｃ  ブッシュの鍔高さ寸法
ｘ  切り欠き部の横寸法
ｙ  切り欠き部の奥側脇縁面の縦寸法
ｚ  切り欠き部の開口側脇縁面の縦寸法
【図１】
2005293897.tif 000004
【図２】
2005293897.tif 000005
【図３】
2005293897.tif 000006
【図４】
2005293897.tif 000007
【図５】
2005293897.tif 000008
【図６】
2005293897.tif 000009
【図７】
2005293897.tif 000010
【図８】
2005293897.tif 000011
【図９】
2005293897.tif 000012
【図１０】
2005293897.tif 000013